(57)【特許請求の範囲】
【請求項１】
高圧空気を供給する高圧空気発生手段と、前記高圧空気を噴出させる乾燥ノズルを有して前記乾燥ノズルを便器ボウルの中央寄りに接近離間するように進退させるノズル駆動ユニットとを備えた衛生洗浄装置の人体乾燥装置であって、
前記ノズル駆動ユニットは、前記乾燥ノズルを後退位置で吹出口のある先端部が下向きとなる傾斜姿勢になるように前記乾燥ノズルを傾斜姿勢で進退駆動する駆動部を有し、前記乾燥ノズルを前記傾斜姿勢のまま長手方向に進出させたときの前記吹出口の位置よりも、前記乾燥ノズルの進出位置での前記吹出口の位置が上方に位置するように前記乾燥ノズルの先端にばねにより突出可能に設けた前記吹出口を有するノズル部を有し、さらに前記乾燥ノズルの後退位置で前記ノズル部を押し下げる押下げ部を有し、前記駆動部を制御することにより、乾燥ノズルを臀部に接近し、被洗浄面に残留付着した水滴を吹き飛ばして飛散または拡散することを特徴とする人体乾燥装置。
【請求項２】
ノズル駆動ユニットは、前記乾燥ノズルが進出するにつれて前記乾燥ノズルの傾斜を水平方向寄りに変える回動支持部を有する請求項１記載の人体乾燥装置。
【請求項３】
ノズル駆動ユニットは、前記乾燥ノズルの傾斜姿勢を変更するワイヤを有する請求項１記載の人体乾燥装置。
【請求項４】
ノズル駆動ユニットは、前記乾燥ノズルの傾斜方向が変わるように前記駆動部を移動可能にした請求項１記載の人体乾燥装置。
【請求項５】
ノズル駆動ユニットは、前記乾燥ノズルの傾斜を変更させる空気圧式ノズル押圧手段を有する請求項１記載の人体乾燥装置。
【請求項６】
前記ノズル部は、空気圧により突出可能に上下方向に移動自在に設けた請求項１記載の人体乾燥装置。
【請求項７】
高圧空気を供給する高圧空気発生手段と、前記高圧空気を噴出させる乾燥ノズルを有してこの乾燥ノズルを便器ボウルの中央寄りに接近離間するように進退させるノズル駆動ユニットとを備えた衛生洗浄装置の人体乾燥装置であって、前記ノズル駆動ユニットは、前記乾燥ノズルの後退位置で収納するケースを有し、前記ケース内に設けられ前記乾燥ノズルを傾斜姿勢で進退駆動する駆動部を有し、かつ、前記乾燥ノズルを可撓性を有する部材で構成し、前記乾燥ノズルの後退位置で前記乾燥ノズルの後端部をケースの壁面に沿ってたわませたことを特徴とする人体乾燥装置。
【発明の詳細な説明】
【０００１】
【発明の属する技術分野】
この発明は、例えば衛生洗浄便座等に適用される衛生洗浄装置の洗浄後の乾燥等に使用する人体乾燥装置に関するものである。
【０００２】
【従来の技術】
臀部等の被洗浄面を衛生洗浄装置から噴射する洗浄水により洗浄し、その後多量の水が付着した臀部を温風乾燥装置により温風乾燥する場合、水が薄い水膜状になっている部分では比較的速やかに乾燥されるが、水滴状になって残留付着した部分は温風を長時間吹きつけないと乾燥しない。そのため時間がかかり過ぎ、長時間温風を当てることにより臀部に炎症が起こる可能性がある。
【０００３】
このため、従来の衛生洗浄装置（例えば特開昭58-218531 号）は、空気圧縮機を設けて空気噴出ノズルにより高速の噴流を噴射させ、残留付着した水滴を高圧空気で吹き飛ばして飛散したりあるいは拡散させて細かな水滴または薄い水膜状にし、その後温風乾燥し、濡れた被洗浄面の全体を短時間で万遍なく乾燥するようにしていた。
【０００４】
【発明が解決しようとする課題】
しかし、高圧空気を吹き出す空気噴出ノズルが被洗浄面から離れていると効率が悪く効果が低下し、また空気噴出ノズルを被洗浄面に近づけるように長くすると収納が困難になるという課題があった。
【０００５】
一方、従来の温風乾燥装置（例えば特開昭60-164525 号) は、図１６に示すように温風乾燥ノズル１００を伸縮自在にシリンダ１０１に内装し、ワイヤ１０２の一端をノズル１００に接続し他端を操作レバー１０６に接続して接続レバー１０６を操作することにより伸縮動作させたり、ワイヤ１０２をモータで駆動したり、あるいはワイヤ１０２に代えてノズル１００を水圧で駆動していた。１０３はワイヤチューブ、１０４はヒータ、１０５はノズル１００の噴出口である。
【０００６】
この従来例を利用すれば、乾燥ノズルを伸縮できるため、ノズル長さを比較的短縮可能であるが、未だノズルの長さを十分短くできず、収納が容易でなく本体ケースの小型化も困難であるという課題があった。
【０００７】
このため、長い乾燥ノズルを本体ケース内に収納するには、乾燥ノズルを水平姿勢から垂直方向への傾斜角度を大きくする必要があった。
【０００８】
しかし、乾燥時に本体ケースより突出した乾燥ノズルは傾斜角度が大きいため吹出口が下方へ移動して臀部との距離が長くなり、そのため乾燥性能が劣化するという問題があった。
【０００９】
したがって、この発明の目的は、乾燥ノズルの後退時の傾斜角度を大きくし、かつ進出時に乾燥ノズルの吹出口を臀部へより近く接近することができる人体乾燥装置を提供することである。
【００１０】
【課題を解決するための手段】
請求項１記載の人体乾燥装置は、高圧空気を供給する高圧空気発生手段と、高圧空気を噴出させる乾燥ノズルを有して前記乾燥ノズルを便器ボウルの中央寄りに接近離間するように進退させるノズル駆動ユニットとを備えた衛生洗浄装置の人体乾燥装置であって、
ノズル駆動ユニットは、乾燥ノズルを後退位置で吹出口のある先端部が下向きとなる傾斜姿勢になるように前記乾燥ノズルを傾斜姿勢で進退駆動する駆動部を有し、前記乾燥ノズルを傾斜姿勢のまま長手方向に進出させたときの吹出口の位置よりも、乾燥ノズルの進出位置での吹出口の位置が上方に位置するように前記乾燥ノズルの先端にばねにより突出可能に設けた前記吹出口を有するノズル部を有し、さらに前記乾燥ノズルの後退位置で前記ノズル部を押し下げる押下げ部を有し、前記駆動部を制御することにより、乾燥ノズルを臀部に接近し、被洗浄面に残留付着した水滴を吹き飛ばして飛散または拡散することを特徴とするものである。
【００１１】
請求項１記載の人体乾燥装置によれば、ノズル駆動ユニットにより乾燥ノズルの後退位置では傾斜角度を大きくすることができ、乾燥ノズルを進出すると吹出口が臀部に接近し、被洗浄面に残留付着した水滴を吹き飛ばして飛散または拡散するので乾燥性能が向上する。また、乾燥ノズルの傾斜角度を可変する機構が不要となる。また、確実に乾燥ノズルのノズル部を押し上げることができる。
【００１２】
請求項２記載の人体乾燥装置は、請求項１において、ノズル駆動ユニットが、乾燥ノズルが進出するにつれて乾燥ノズルの傾斜を水平方向寄りに変える回動支持部を有するものである。
【００１３】
請求項２記載の人体乾燥装置によれば、乾燥時にユニット本体より突出した乾燥ノズルの水平から垂直下方への傾斜角度が小さくなるように構成したことで、吹出口と臀部の距離が近くなり乾燥性能が向上する。また乾燥ノズルの傾斜変更が確実に行え、回動支持部の変更により傾斜角度の調節も可能である。
【００１４】
請求項３記載の人体乾燥装置は、請求項１において、ノズル駆動ユニットが、乾燥ノズルの傾斜姿勢を変更するワイヤを有するものである。
【００１５】
請求項３記載の人体乾燥衛生洗浄装置によれば、請求項１と同様な効果のほか、回動支持部が不要であり構造が比較的簡単になる。
【００１６】
請求項４記載の人体乾燥装置は、請求項１において、ノズル駆動ユニットが、乾燥ノズルの傾斜方向が変わるように駆動部を移動可能にしたものである。
【００１７】
請求項４記載の人体乾燥装置によれば、請求項１と同様な効果のほか、回動支持部が不要のため構造が簡単になる。
【００１８】
請求項５記載の人体乾燥装置は、請求項１において、ノズル駆動ユニットが、乾燥ノズルの傾斜を変更させる空気圧式ノズル押圧手段を有するものである。
【００１９】
請求項５記載の人体乾燥装置によれば、請求項１と同様な効果のほか、構造が簡単になり、空気圧式ノズル押圧手段の押圧量を調整することにより傾斜角度の調節も可能である。
【００２０】
請求項６記載の人体乾燥装置は、請求項１において、ノズル部は、空気圧により突出可能に上下方向に移動自在に設けたものである。
【００２１】
請求項６記載の人体乾燥装置によれば、請求項１と同様に、乾燥ノズルの傾斜角度を可変する機構が不要となる。
【００２４】
請求項７記載の人体乾燥装置は、高圧空気を供給する高圧空気発生手段と、高圧空気を噴出させる乾燥ノズルを有してこの乾燥ノズルを便器ボウルの中央寄りに接近離間するように進退させるノズル駆動ユニットとを備えた衛生洗浄装置の人体乾燥装置であって、ノズル駆動ユニットは、乾燥ノズルの後退位置で収納するケースを有し、ケース内に設けられ乾燥ノズルを傾斜姿勢で進退駆動する駆動部を有し、かつ、乾燥ノズルを可撓性を有する部材で構成し、乾燥ノズルの後退位置で乾燥ノズルの後端部をケースの壁面に沿ってたわませたことを特徴とするものである。
【００２５】
請求項７記載の人体乾燥装置によれば、ノズル駆動ユニットにより乾燥ノズルの後退位置では傾斜角度を大きくすることができ、乾燥ノズルを進出すると吹出口が臀部に接近し、被洗浄面に残留付着した水滴を吹き飛ばして飛散または拡散するので乾燥性能が向上する。また、乾燥ノズルの傾斜角度を可変する機構が不要となる効果のほか、構造が簡単になる。
【００２６】
【発明の実施の形態】
この発明の第１の実施の形態を図１から図３により説明する。図１は、衛生洗浄装置を装備した便器ユニットを示している。１は便器、１ａは便器ボウル、２は便座、３は便座蓋、９は水洗タンク（ロータンク）である。
【００２７】
４は衛生洗浄装置の本体ケースである。この内部には洗浄水を加熱する加熱手段およびその温水を圧送する送水ポンプ（図示せず）を有し、送水ポンプに人体を洗浄する洗浄ノズル１０を接続し、洗浄ノズル１０を便器ボウル１ａに配設している。洗浄ノズル１０は便器ボウル１ａの後部より中央方向に向けて突出している。水道管に給水元弁を介して加熱手段に水を給水して加熱し、送水ポンプで洗浄ノズル１０に圧送し、洗浄ノズル１０から被洗浄面に噴射しこれにより洗浄が行われる。
【００２８】
また衛生洗浄装置は、洗浄装置で洗浄された後の被洗浄面を乾燥するため、被洗浄面に残留付着した水滴を吹き飛ばして飛散または拡散させる人体乾燥装置と、温風乾燥手段を設けている。
【００２９】
人体乾燥装置は、高圧空気を発生する高圧空気発生手段と、高圧空気を噴出させる乾燥ノズル２４を備えている。高圧空気発生手段は空気を高圧に加圧する加圧手段２２と、加圧手段２２により発生した高圧空気を溜める蓄圧手段２３を有し、蓄圧手段２３からの高圧空気を制御弁例えば電磁弁２５を介して乾燥ノズル２４に供給している。加圧手段２２は公知のポンプ等を用い、本体ケース４に内蔵されている。蓄圧手段２３はタンクにより構成し加圧手段２２と分離して便器１の後部に配置され、加圧手段２２と空気配管により接続されている。電磁弁２５と乾燥ノズル２４との間は可撓性の配管７により接続されている。乾燥ノズル２４は便器ボウル１ａの例えば後部に配設されて洗浄後の人体の被洗浄面を乾燥させるものであり、ノズル駆動ユニット６により乾燥ノズル２４を乾燥時に便器ボウル１ａ内の中央寄りに進出して被洗浄面に略垂直に高圧空気を噴出する。乾燥ノズル２４からの噴出は電磁弁２５により制御される。
【００３０】
４０はコンセント、４１はコンセント４０に接続される受電部、４２は操作パネルである。
【００３１】
図２は、乾燥ノズル２４のノズル駆動ユニット６を収納する本体ケース４への収納状態である。ノズル駆動ユニット６は、高圧空気を噴出させる乾燥ノズル２４を有してこの乾燥ノズル２４を便器ボウル１ａの中央寄りに接近離間するように進退させるものである。このノズル駆動ユニット６は、乾燥ノズル２４を便器ボウル１ａの中央付近と便器ボウル１ａの内面付近との間において進退させるとともに、乾燥ノズル２４を傾斜姿勢のまま長手方向に進出させたときの吹出口２４ａの位置よりも、乾燥ノズル２４の進出位置での吹出口２４ａの位置が上方に位置するように制御する。
【００３２】
具体的には、ノズル駆動ユニット６は、乾燥ノズル２４を進退駆動する駆動部１１と、この駆動部１１を乾燥ノズル２４が進出するにつれて乾燥ノズル２４の傾斜を水平方向寄りに変える回動支持部１２を有する。まず乾燥ノズル２４は側面にラック１３を設け、本体ケース４への収納を容易にするため水平姿勢から約４５度程度縦方向に傾斜している。本体ケース４の下端部の便器ボウル１ａの中央に向いて開口したノズル挿通口１４より、乾燥ノズル２４の吹出口２４ａをノズル挿通口１４から突出している。駆動部１１はラック１３に噛み合うピニオンであり本体ケース４内のノズル挿通口１４の付近に位置し軸１１ａでモータ（図示せず）に連結されている。回動支持部１２は乾燥ノズル２４の後端部をガイドするガイド部１２ａと、乾燥ノズル２４の後端部をガイド部１２ａに押しつけるばね１２ｂからなる。ガイド部１２ａは乾燥ノズル２４の進出位置で所定の水平姿勢に近くなるように傾斜面が形成されている。
【００３３】
図３は乾燥ノズル２４の進出状態であり、駆動部１１が乾燥ノズル２４の進出方向に回転すると、ばね１２ｂによってガイド部１２ａに押付けられている乾燥ノズル２４の後端部がガイド部１２ａの傾斜面に沿って移動するにつれて乾燥ノズル２４の傾斜角度が水平方向に回動し、さらに後端部がガイド部１２ａから離ればね１２ｂの押圧力によりノズル挿通口１４の上縁部１４ａに支持されて乾燥ノズル２４が所定の傾斜姿勢を保っている。この状態からモータを逆に回転させると乾燥ノズル２４の後端部がガイド部１２ａに沿って摺動し図２に示す状態に戻る。
【００３４】
温風乾燥手段は、温風を発生する温風吐出手段（図示せず）と、発生した温風を被洗浄面に向けて吹き出すノズル（図示せず）からなる。
【００３５】
この衛生洗浄装置は、便座蓋３を開き便座２に着座し用便後に操作パネル４２を操作して、まず洗浄が行われる。これは給水元弁が開き水道水が加熱手段に供給され加熱され、送水ポンプにより洗浄ノズル１０から洗浄水が噴出し被洗浄面を洗浄する。つぎに人体乾燥装置を操作し、乾燥ノズル２４を図２の状態から図３の状態に移動させ、高圧空気を被洗浄面に吹きつけて水滴を吹き飛ばして飛散または拡散する。これは加圧手段２２の動作により蓄圧手段２３に高圧空気を溜め、電磁弁２５を制御して蓄圧手段２３から乾燥ノズル２４に高圧空気を送り被洗浄面に噴出させる。その後または人体乾燥装置と同時に温風乾燥手段を操作し温風を被洗浄面に吹き出して温風乾燥する。
【００３６】
この実施の形態によれば、ノズル駆動ユニット６により乾燥ノズル２４の後退位置では傾斜角度を大きくすることができ、乾燥ノズル２４を進出すると吹出口２４ａが臀部に接近するので乾燥性能が向上する。
【００３７】
なお、人体乾燥装置で高圧空気を送るとき温風乾燥手段を同時に働かせて被洗浄面を温めてもよいが、人体乾燥装置の乾燥ノズル２４より吹出す高圧空気を事前に加熱する加熱手段を追加してもよい。
【００３８】
また、ラック１３およびピニオンに代えて、ローラを乾燥ノズル２４の側面に摩擦係止し、ローラの回転により乾燥ノズル２４を移動させる構成でもよい。
【００３９】
この発明の第２の実施の形態を図４および図５に示す。第１の実施の形態と比較してノズル駆動ユニット６が相違している。すなわち、ノズル駆動ユニット６は、乾燥ノズル２４を進退駆動する駆動部１１と、乾燥ノズル２４の傾斜姿勢を変更するワイヤ１６とを有する。第１の実施の形態のガイド部は不要である。
【００４０】
実施の形態では、乾燥ノズル２４を移動自在に挿通した支持筒１８を有し、本体ケース４の内部のノズル挿通口１４の近傍に軸１７により支持筒１８の中間部が軸支され、引っ張りばね２１により縦姿勢の方向に付勢され、かつ支持筒１８の後端部にワイヤ１６の一端部が取付けられている。ワイヤ１６は中間部がガイドローラ１９に支持され、他端部が回動操作部２０に連結され、回動操作部２０がワイヤ駆動部（図示せず）に連結されて、ワイヤ１６によりばね２１に抗して支持筒１８を引き、支持筒１８を所定の姿勢に保持している。
【００４１】
図４は乾燥ノズル２４の後退状態である。駆動部１１のピニオンは支持筒１８に設けたスリットを通して支持筒１８内でラック１３と噛み合っている。
【００４２】
図５は進出状態である。駆動部１１を回動させると乾燥ノズル２４が支持筒１８を移動してノスル挿通口１４より進出するとともに、ワイヤ駆動部２０を操作してワイヤ１６を引くと、ばね２１に抗して支持筒１８が水平方向に回動し、これにつれて乾燥ノズル２４も水平方向に回動する。その他は第１の実施の形態と同様である。
【００４３】
この発明の第３の実施の形態を図６および図７に示す。第２の実施の形態において、ワイヤ１６のガイドローラ１９ａ〜１９ｃを複数にし、かつワイヤ１６の他端部を乾燥ノズル２４の後端部に連結している。ワイヤ駆動部２０は不要である。
【００４４】
図６は乾燥ノズル２４の後退状態であり、図７は駆動部１１を駆動して乾燥ノズル２４を進出させた状態である。このとき、ワイヤ１６が乾燥ノズル２４の後端部の移動により引かれて支持筒１８をばね２１に抗して引き、支持筒１８を水平方向に回動させる。このため、乾燥ノズル２４が所定の水平に近づいた姿勢に支持される。駆動部１１を逆回転させると乾燥ノズル２４が後退するとともにワイヤ１６が緩むので支持筒１８がばね２１の力により垂直方向に回動し、図６の後退姿勢に戻るとともに乾燥ノズル２４が本体ケース４内に収納される。
【００４５】
この発明の第４の実施の形態を図８および図９に示す。第１の実施の形態と比較してノズル駆動ユニット６が相違している。すなわち、ノズル駆動ユニット６は、乾燥ノズル２４を進退駆動する駆動部１１を有し、乾燥ノズル２４の傾斜方向が変わるように駆動部１１を移動可能に構成している。
【００４６】
図８は乾燥ノズル２４の後退状態であり、ガイド部は除去し、ばね１２ｂを引っ張りばねとし、乾燥ノズル２４の駆動部１１と反対側の側面を本体ケース４のノズル挿通口１４の上縁部１４ａに当接して支持している。
【００４７】
図９は乾燥ノズル２４の進出状態であり、駆動部１１をノズル挿通口１４の外方向に向けて想像線から実線のようにノズル挿通口１４に近づくように移動することにより乾燥ノズル２４を水平方向に回動している。駆動部１１をノズル挿通口１４に近づくように移動すると、乾燥ノズル２４がノズル挿通口１４の上縁部１４ａを支点にして乾燥ノズル２４が水平方向に近づくように回動する。
【００４８】
一方、駆動部１を逆回転すると同時に実線の位置から想像線の位置へ移動させると、図８のように乾燥ノズル２４が後退しながら縦方向に傾斜し元の位置および姿勢に戻る。なお、ばね１２ｂの乾燥ノズル２４側の端部は、ばね１２ｂの支持点が図の太線の範囲で太線に沿って移動可能となるようにスライド自在とし、ばねの作用点を変えて不要なばね力を除去するようにしている。その他は第１の実施の形態と同様である。
【００４９】
この発明の第５の実施の形態を図１０および図１１に示す。第４の実施の形態において、ノズル駆動ユニット６は、乾燥ノズル２４を進退駆動する駆動部１１と、乾燥ノズル２４の傾斜を変更させる空気圧式ノズル押圧手段３２を有している。このとき、駆動部１１を移動する構成は不要としている。
【００５０】
空気圧式ノズル押圧手段３２は、電磁弁２５の収納部に設けられ蓄圧手段に連結された制御弁と、制御弁に接続された配管３０と、配線３０の先端部に設けられた押圧部３１を有する。押圧部３１は空気圧により突出する押圧片３１ａを有する。
【００５１】
図１０は乾燥ノズルの後退状態である。図１１は乾燥ノズル２４の進出状態である。乾燥ノズル２４を駆動部１１により進出させると同時に、空気圧式ノズル押圧手段３２の制御弁を動作させ、蓄圧手段２３の高圧の一部を制御弁により配管３０に導き、その圧力で押圧片３１ａを突出させる。乾燥ノズル２４は上縁部１４ａを支点に押圧片３１ａによりばね１２ｂに抗して押し上げられて傾斜方向を水平方向に近づけている。
【００５２】
この場合、押圧片３１ａの突出量を調節することにより乾燥ノズル２４の傾斜角度を調節することができる。
【００５３】
なお、図中の乾燥ノズル２４に沿った太線の部分は上記した図８、図９の太線の説明と同様である。
【００５４】
この発明の第６の実施の形態を図１２に示す。第１の実施の形態と比較してノズル駆動ユニット６が相違している。すなわち、このノズル駆動ユニット６は、乾燥ノズル２４を傾斜姿勢で進退駆動する駆動部１１を有し、乾燥ノズル２４の先端に空気圧により突出可能に上下方向に移動自在に設けたノズル部３４を有する。駆動部１１は乾燥ノズル２４を直線的に移動できる構成であればよく、ばね１２ｂも不要である。ノズル部３４は先端に吹出口２４ａを有し、乾燥ノズル２４の先端の垂直部２４ｂに移動自在に設けられている。
【００５５】
図１２は進出した状態であり、ノズル部３４は吹出口２４ａより高圧空気を噴射しながら高圧力により垂直部２４ｂから上方に突出している。ノズル部３４の突出によりノズル部３４が被洗浄面により近づいたものとなる。つぎに、高圧空気の噴出を停止するとノズル部３４が自重により矢印の方向に下降する。また駆動部１１を逆回転すると乾燥ノズル２４が同じ姿勢のまま例えば図１０のように本体ケース４内に収納される。
【００５６】
この結果、上記のように垂直部２４ｂから上方に突出した吹出口２４ａの位置と、想像線で示すように乾燥ノズルを進出するとともに乾燥ノズルの傾斜角度を小さくした場合の吹出口の位置が等しくなる。その他は第１の実施の形態と同様である。
【００５７】
この発明の第７の実施の形態を図１３および図１４に示す。第１の実施の形態と比較してノズル駆動ユニット６が相違している。すなわち、ノズル駆動ユニット６は、乾燥ノズル２４を傾斜姿勢で進退駆動する駆動部１１を有し、乾燥ノズル２４の先端にばね３６により突出可能に設けたノズル部３４を有し、さらに乾燥ノズル２４の後退位置でノズル部３４を押し下げる押下げ部３７を有する。
【００５８】
図１３は乾燥ノズル２４の後退状態である。乾燥ノズル２４の先端には垂直部２４ｂを有し、垂直部２４ｂ内に例えばコイルばねを用いたばね３６を収納し、ばね３６に支持されたノズル部３４を移動自在に収納している。また本体ケース４のノズル挿通口１４に押下げ部３７を設けており、乾燥ノズル２４の後退状態でノズル部３４は押下げ部３７によりばね３６に抗して押下げられている。
【００５９】
図１４は乾燥ノズル２４の進出状態である。駆動部１１により乾燥ノズル２４が進出するとノズル部３４が押下げ部３７から離れ、その結果ばね３６によりノズル部３４が突出する。ノズル部３４の突出によりノズル部３４が被洗浄面により近づいたものとなる。その他は第１の実施の形態と同様である。
【００６０】
この発明の第８の実施の形態を図１５に示す。第１の実施の形態と比較してノズル駆動ユニット６が相違している。すなわち、ノズル駆動ユニット６は、乾燥ノズル２４を可撓性を有する部材で構成し、乾燥ノズル２４を傾斜姿勢で進退駆動する駆動部１１を有し、乾燥ノズル２４の後退位置で乾燥ノズル２４の後端部２４ｃを本体ケース４の壁面４ａに沿ってたわませている。
【００６１】
図１４の実線が乾燥ノズル２４の進出状態であり、想像線が後退状態である。このとき、後退状態では乾燥ノズル２４が垂直方向に傾斜するようにたわむこととなるので乾燥ノズル２４の全長が長くても収納容易になる。
【００６２】
なお、ラックも可撓性を有するものとすれば、乾燥ノズル２４の長い範囲をたわませることが可能である。
【００６３】
【発明の効果】
請求項１記載の人体乾燥装置によれば、ノズル駆動ユニットにより乾燥ノズルの後退位置では傾斜角度を大きくすることができ、乾燥ノズルを進出すると吹出口が臀部に接近し、被洗浄面に残留付着した水滴を吹き飛ばして飛散または拡散するので乾燥性能が向上する。また、乾燥ノズルの傾斜角度を可変する機構が不要となる。また、確実に乾燥ノズルのノズル部を押し上げることができる。
【００６４】
請求項２記載の人体乾燥装置によれば、乾燥時にユニット本体より突出した乾燥ノズルの水平から垂直下方への傾斜角度が小さくなるように構成したことで、吹出口と臀部の距離が近くなり乾燥性能が向上する。また乾燥ノズルの傾斜変更が確実に行え、回動支持部の変更により傾斜角度の調節も可能である。
【００６５】
請求項３記載の人体乾燥衛生洗浄装置によれば、請求項１と同様な効果のほか、回動支持部が不要であり構造が比較的簡単になる。
【００６６】
請求項４記載の人体乾燥装置によれば、請求項１と同様な効果のほか、回動支持部が不要のため構造が簡単になる。
【００６７】
請求項５記載の人体乾燥装置によれば、請求項１と同様な効果のほか、構造が簡単になり、空気圧式ノズル押圧手段の押圧量を調整することにより傾斜角度の調節も可能である。
【００６８】
請求項６記載の人体乾燥装置によれば、請求項１と同様に、乾燥ノズルの傾斜角度を可変する機構が不要となる。
【００７０】
請求項７記載の人体乾燥装置によれば、ノズル駆動ユニットにより乾燥ノズルの後退位置では傾斜角度を大きくすることができ、乾燥ノズルを進出すると吹出口が臀部に接近し、被洗浄面に残留付着した水滴を吹き飛ばして飛散または拡散するので乾燥性能が向上する。また、乾燥ノズルの傾斜角度を可変する機構が不要となる効果のほか、構造が簡単になる。
【図面の簡単な説明】
【図１】  この発明の第１の実施の形態の衛生洗浄装置を備えた便器の斜視図である。
【図２】  ノズル駆動ユニット部分の乾燥ノズルの後退状態の断面図である。
【図３】  乾燥ノズルの進出状態の断面図である。
【図４】  第２の実施の形態のノズル駆動ユニット部分の乾燥ノズルの後退状態の断面図である。
【図５】  その進出状態の断面図である。
【図６】  第３の実施の形態の乾燥ノズルの後退状態の断面図である。
【図７】  乾燥ノズルの進出状態の断面図である。
【図８】  第４の実施の形態の乾燥ノズルの後退状態の断面図である。
【図９】  乾燥ノズルの進出状態の断面図である。
【図１０】  第５の実施の形態の乾燥ノズルの後退状態の断面図である。
【図１１】  その進出状態の断面図である。
【図１２】  第６の実施の形態の乾燥ノズルの進出状態の断面図である。
【図１３】  第７の実施の形態の乾燥ノズルの後退状態の断面図である。
【図１４】  乾燥ノズルの進出状態の断面図である。
【図１５】  第８の実施の形態の乾燥ノズルの進出状態の断面図である。
【図１６】  従来例の要部断面図である。
【符号の説明】
１     便器
１ａ   便器ボウル
２     便座
３     便座蓋
６     ノズル駆動ユニット
９     水洗タンク
１１   駆動部
１２   回動支持部
１６   ワイヤ
２２   加圧手段
２３   蓄圧手段
２４   乾燥ノズル
２４ａ 吹出口
２５   電磁弁
３２   空気圧式ノズル押圧手段
３４   ノズル部
３７   押下げ部
【図１】
0003868837.tif 000002
【図２】
0003868837.tif 000003
【図３】
0003868837.tif 000004
【図４】
0003868837.tif 000005
【図５】
0003868837.tif 000006
【図６】
0003868837.tif 000007
【図７】
0003868837.tif 000008
【図８】
0003868837.tif 000009
【図９】
0003868837.tif 000010
【図１０】
0003868837.tif 000011
【図１１】
0003868837.tif 000012
【図１２】
0003868837.tif 000013
【図１３】
0003868837.tif 000014
【図１４】
0003868837.tif 000015
【図１５】
0003868837.tif 000016
【図１６】
0003868837.tif 000017